(57)【特許請求の範囲】
【請求項１】
段板と、該段板の階段後方にて立設される蹴込み板と、水平部と鉛直部とが階段昇降方向に沿って段状に連続形成されたささら桁とからなり、前記水平部を壁面側に配置される第１の巾木隣接部と該第１の巾木隣接部から前記段板の厚み分だけ階段側に下がった位置に段状に形成された段板支承部とから構成して該段板支承部の上面に前記段板を支承するように構成するとともに、前記鉛直部を壁面側に配置される第２の巾木隣接部と該第２の巾木隣接部から前記蹴込み板の厚み分だけ階段後方に段状に後退させた蹴込み板当接部とから構成して該蹴込み板当接部の正面に前記蹴込み板を当接するように構成し、前記第１の巾木隣接部と前記第２の巾木隣接部とを階段昇降方向に沿って段状に連続配置したことを特徴とする階段構造。
【請求項２】
前記段板の階段後方隅部の上面に切り欠きを設けて嵌合凸部を形成するとともに、該嵌合凸部が嵌め込まれる嵌合凹部を前記ささら桁の前記蹴込み板当接部に形成し、該嵌合凹部の奥行きを前記嵌合凸部の長さから前記蹴込み板の厚みを差し引いた寸法とするとともに、互いに係合可能な一対の係合部のうち、一方の係合部を前記水平部の階段側側面に設け、他方の係合部を前記段板の木口又は下面に設けた請求項１記載の階段構造。
【発明の詳細な説明】
【０００１】
【発明の属する技術分野】
本発明は、ささら桁に段板及び蹴込み板を取り付けて構成してなる階段構造に関する。
【０００２】
【従来の技術】
住宅等において階段を施工する場合、互いに対面する階段室の各側壁に一対のささら桁を斜めに取り付け、しかる後、ささら桁に段板と蹴込み板を固定するとともに、内装仕上げの際、階段室の側壁と段板との取合いを隠すため、段板及び蹴込み板に沿って巾木を取り付けるのが一般的である。
【０００３】
【発明が解決しようとする課題】
ここで、段板は通常、蹴込み板から数ｃｍ正面に突出しており、かかる突出部分は段鼻と呼ばれているが、上述した巾木を段板及び蹴込み板に沿って取り付ける場合、段鼻を避けるようにして取り付ける必要がある。
【０００４】
そのため、段鼻と干渉しないよう、巾木に切り欠き加工を施さねばならず、現場での作業効率が悪いという問題を生じていた。
【０００５】
また、段板をささら桁に固定する場合、該段板の側方縁部から釘を打込み、あるいはビスをねじ込んでいたが、かかる釘やビスの頭部が階段室に露出すると、階段室全体の意匠性が低下するため、廊下や居室に用いる巾木よりも厚みが大きな階段専用の巾木を用いることで、上述した釘やビスの頭部を隠す必要があり、このような階段専用の巾木を用いることによるコスト高も問題となっていた。
【０００６】
本発明は、上述した事情を考慮してなされたもので、現場での巾木の切り欠き加工を省略するとともに、居室や廊下等で使用する標準的な巾木を階段室の巾木としても用いることが可能な階段構造を提供することを目的とする。
【０００７】
【課題を解決するための手段】
上記目的を達成するため、本発明に係る階段構造は請求項１に記載したように、段板と、該段板の階段後方にて立設される蹴込み板と、水平部と鉛直部とが階段昇降方向に沿って段状に連続形成されたささら桁とからなり、前記水平部を壁面側に配置される第１の巾木隣接部と該第１の巾木隣接部から前記段板の厚み分だけ階段側に下がった位置に段状に形成された段板支承部とから構成して該段板支承部の上面に前記段板を支承するように構成するとともに、前記鉛直部を壁面側に配置される第２の巾木隣接部と該第２の巾木隣接部から前記蹴込み板の厚み分だけ階段後方に段状に後退させた蹴込み板当接部とから構成して該蹴込み板当接部の正面に前記蹴込み板を当接するように構成し、前記第１の巾木隣接部と前記第２の巾木隣接部とを階段昇降方向に沿って段状に連続配置したものである。
【０００８】
また、本発明に係る階段構造は、前記段板の階段後方隅部の上面に切り欠きを設けて嵌合凸部を形成するとともに、該嵌合凸部が嵌め込まれる嵌合凹部を前記ささら桁の前記蹴込み板当接部に形成し、該嵌合凹部の奥行きを前記嵌合凸部の長さから前記蹴込み板の厚みを差し引いた寸法とするとともに、互いに係合可能な一対の係合部のうち、一方の係合部を前記水平部の階段側側面に設け、他方の係合部を前記段板の木口又は下面に設けたものである。
【０００９】
本発明に係る階段構造においては、ささら桁の水平部を壁面側に配置される第１の巾木隣接部と該第１の巾木隣接部から段板の厚み分だけ階段側に下がった位置に段状に形成された段板支承部とから構成するとともに、ささら桁の鉛直部を壁面側に配置される第２の巾木隣接部と該第２の巾木隣接部から蹴込み板の厚み分だけ階段後方に段状に後退させた蹴込み板当接部とから構成してあり、階段を施工する際は、まず、互いに対面する階段室の各側壁に一対のささら桁をそれぞれ取り付ける。
【００１０】
次に、段板をその両側方縁部が各ささら桁の段板支承部の上面にそれぞれ支承されるように取り付けるとともに、蹴込み板をその両側方縁部が各ささら桁の蹴込み板当接部の正面にそれぞれ当接されるように取り付ける。
【００１１】
このとき、段板の上面とささら桁の第１の巾木隣接部の上面とは同一高さとなるとともに、蹴込み板の正面とささら桁の第２の巾木隣接部の正面とが同一面となる。
【００１２】
段板をささら桁に取り付けるにあたっては、段板の下面からささら桁の第１の巾木隣接部に向けて釘を斜めに打ち込んで固定したり、予め段板の下面にＬ型金具を取り付けておき、かかるＬ字金具をビスでささら桁に固定したりすることが考えられる。なお、釘を斜めに打ち込む場合は、段板がささら桁から浮き上がらないよう、適宜上面側から段板を押さえることとなる。
【００１３】
次に、ささら桁の第１の巾木隣接部の上面及び第２の巾木隣接部の正面に沿って巾木を取り付ける。なお、段板の先端は、通常、蹴込み板から段鼻として突出させることが多く、本発明では、該蹴込み板がささら桁の蹴込み板当接部に当接される。したがって、巾木を第２の巾木隣接部の正面に沿って取り付ける際には、段板側方縁部と階段室の側壁との間に生じている隙間に差し込むようにして取り付ける。ちなみに、かかる隙間は第２の巾木隣接部の厚みと同一寸法となる。
【００１４】
このようにすると、階段室の側壁に巾木を取り付ける際、従来のように蹴込み板及び段板に当接させるのではなく、ささら桁のうち、階段昇降方向に沿って段状に連続形成された第１の巾木隣接部及び第２の巾木隣接部に当接させることとなるので、段板の段鼻に合わせて巾木を現場にて切り欠き加工する必要がない。
【００１５】
なお、段板の上面とささら桁の第１の巾木隣接部の上面とは同一高さとなるとともに、蹴込み板の正面とささら桁の第２の巾木隣接部の正面とが同一面となるように構成してあり、かかる第１の巾木隣接部の上面及び第２の巾木隣接部の正面に当接させた状態にて階段室の側壁に巾木を取り付けることにより、ささら桁の露出を防止することができる。
【００１６】
また、従来は、段板の上面からささら桁に釘やビスを打ち込むことで段板をささら桁に固定せざるを得ず、その結果、釘やビスの頭部を階段専用の厚みのある巾木で隠す必要があったが、本発明では、ささら桁の水平部を段状に形成してあるので、段板の下面からささら桁に向けて斜め上方に釘やビスを打ち込むことが可能となる。そのため、釘やビスの頭部を巾木で隠す必要がなくなり、階段専用の厚みのある巾木に代えて、居室や廊下等で用いる標準的な巾木を階段室の巾木としても用いることができる。
【００１７】
ささら桁の第１の巾木隣接部及び第２の巾木隣接部の幅は、取り付ける巾木の厚さと同じになるように設定する。
【００１８】
段板は、その階段後方縁部の上面に溝を形成し、該溝に蹴込み板の下縁を差し込むことができるように構成するとともに、段鼻の下面にも溝を形成し、該溝に蹴込み板の上縁を差し込むことができるように構成しておくのが望ましい。
【００１９】
ここで、段板をささら桁に取り付けるにあたっては、上述したように段板がささら桁から浮き上がらないように段板の上面を押さえるようにしてもよいが、段板の階段後方隅部の上面に切り欠きを設けて嵌合凸部を形成するとともに、該嵌合凸部が嵌め込まれる嵌合凹部をささら桁の蹴込み板当接部に形成し、該嵌合凹部の奥行きを嵌合凸部の長さから蹴込み板の厚みを差し引いた寸法とするとともに、互いに係合可能な一対の係合部のうち、一方の係合部を水平部の階段側側面に設け、他方の係合部を段板の木口又はその下面に設けてもかまわない。
【００２０】
このようにすると、嵌合凸部が嵌合凹部に嵌め込まれるとともに、一対の係合部が互いに係止され、段板が２箇所で上下方向に拘束されることとなる。そのため、段板をささら桁に固定する際、段板の下面から斜め上方に向けて釘やビスを打ち込む場合でも、段板がささら桁から浮き上がることはない。
【００２１】
なお、嵌合凹部の奥行きを嵌合凸部の長さから蹴込み板の厚みを差し引いた寸法としてあるので、段板の嵌合凸部がささら桁の嵌合凹部に嵌め込まれたとき、段板の上面に形成された切り欠きには、蹴込み板の厚みと同一寸法の隙間が生じることとなり、かかる隙間に蹴込み板の下縁を差し込むこととなる。
【００２２】
嵌合凸部は、段板の階段後方隅部の上面に切り欠きを形成して構成するが、切り欠きを形成するにあたっては、例えば、段板の階段後方隅部にのみそれぞれ切り欠きを形成してもかまわないし、段板の階段後方縁部全体にわたって切り欠きを形成してもかまわない。
【００２３】
嵌合凹部は、嵌合凸部を嵌め込むことができるとともに、その奥行きを嵌合凸部の長さから蹴込み板の厚みを差し引いた寸法とするのであれば、どのように構成するかは任意である。
【００２４】
一対の係合部は、互いに係合可能であるとともに、嵌合凸部が嵌合凹部に嵌め込まれたときに一方の係合部によって他方の係合部が係止されるのであればどのように構成するかは任意である。
【００２５】
例えば、一対の係合部を互いに係合可能な係合凸部及び係合凹部で構成し、第１の巾木隣接部に係合凸部を設けるとともに、段板の木口に係合凹部を設けるようにしてもかまわないし、第１の巾木隣接部に係合凹部を設けるとともに、段板の木口に係合凸部を設けるようにしてもかまわない。同様に、係合凹部及び係合凸部の一方を段板支承部に、他方を段板下面に設けるようにしてもかまわない。
【００２６】
第１の巾木隣接部に係合凸部を設けるとともに、段板の木口に係合凹部を設けるようにした場合には、第１の巾木隣接部の階段側側面に断面形状が矩形状又は円形状になるように形成した突起を設けて係合凸部とするとともに、段板の下面に凸部挿入開口が形成されるようにＬ字状の溝を該段板の木口に形成して係合凹部とすることが考えられる。
【００２７】
一方、第１の巾木隣接部に係合凹部を設けるとともに、段板の木口に係合凸部を設けるようにした場合には、ささら桁の第１の巾木隣接部の上面に凸部挿入開口が形成されるように該第１の巾木隣接部にＬ字状の切り欠きを設けて係合凹部とするとともに、段板の木口に断面形状が矩形状又は円形状になるように形成した突起を設けて係合凸部とすることが考えられる。
【００２８】
かかる場合においては、段板をささら桁に取り付ける際、まず、係合凸部が凸部挿入開口から係合凹部に挿入されるように段板をささら桁の段板支承部に落とし込んでその下面を段板支承部の上面に当接し、次いで、段板を階段後方に向けて摺動させる。このようにすると、段板の嵌合凸部がささら桁の嵌合凹部に嵌め込まれるとともに、係合凸部と係合凹部とが互いに係止される。
【００２９】
【発明の実施の形態】
以下、本発明に係る階段構造の実施の形態について、添付図面を参照して説明する。なお、従来技術と実質的に同一の部品等については同一の符号を付してその説明を省略する。
【００３０】
（第１実施形態）
【００３１】
図１及び図２は、本実施形態に係る階段構造を示した図で、図１は斜視図、図２は図１(a)のＡ−Ａ線及びＢ−Ｂ線に沿う断面図である。同図に示すように本実施形態に係る階段構造１は、段板２と、該段板の階段後方にて立設される蹴込み板３と、階段室の側壁に取り付けられる一対のささら桁４，４とからなり、該ささら桁は、図１(b)でよくわかるように、水平部５と鉛直部６とが階段昇降方向に沿って段状に連続形成されるように構成してある。
【００３２】
水平部５は、壁面側に配置される第１の巾木隣接部７と、該第１の巾木隣接部から段板２の厚み分だけ階段側に下がった位置に段状に形成された段板支承部８とから構成してあり、該段板支承部の上面に段板２を支承するようになっている。
【００３３】
鉛直部６は、壁面側に配置される第２の巾木隣接部９と、該第２の巾木隣接部から蹴込み板３の厚み分だけ階段後方に段状に後退させた蹴込み板当接部１０とから構成してあり、該蹴込み板当接部の正面に蹴込み板３を当接するようになっている。
【００３４】
水平部５の第１の巾木隣接部及７び鉛直部６の第２の巾木隣接部９は、階段昇降方向に沿って段状に連続配置してあるとともに、その幅は、取り付ける巾木１１の厚さと同じになるように設定してある。
【００３５】
なお、段板２は、図２(a)でよくわかるように、その下面からささら桁４の第１の巾木隣接部７に向けて斜め上方に釘１２を打ち込んでささら桁２に固定してある。
【００３６】
段板２は、図３に示すように、その先端を蹴込み板３から段鼻２１として突出させるようになっており、該段鼻の基端側下面には、溝２２を形成して該溝に蹴込み板３の上縁を差し込むことができるように構成してある。
【００３７】
本実施形態に係る階段構造１においては、階段を施工する際、まず、互いに対面する階段室の各側壁に一対のささら桁４，４をそれぞれ取り付ける。
【００３８】
次に、図４(a)に示すように、段板２をその両側方縁部が各ささら桁４の段板支承部８の上面にそれぞれ支承されるように配置するとともに、蹴込み板３をその両側方縁部が各ささら桁４の蹴込み板当接部１０の正面にそれぞれ当接されるように取り付ける。
【００３９】
このとき、段板２の上面とささら桁４の第１の巾木隣接部７の上面とは同一高さとなるとともに、蹴込み板３の正面とささら桁４の第２の巾木隣接部９の正面とが同一面となる。
【００４０】
段板２をささら桁４に固定するにあたっては、図２に示すように段板２の下面からささら桁４の第１の巾木隣接部７に向けて釘１２を斜めに打ち込む。なお、釘１２を斜めに打ち込む際、段板２がささら桁４から浮き上がらないよう、該段板を上面側から押さえる。
【００４１】
次に、図４(b)に示すように、ささら桁４の第１の巾木隣接部７の上面及び第２の巾木隣接部９の正面に沿って巾木１１を取り付ける。巾木１１を第２の巾木隣接部９の正面に沿って取り付ける際には、段板２の側方縁部と階段室の側壁との間に生じている隙間ｄに差し込むようにして取り付ける。ちなみに、かかる隙間ｄは第２の巾木隣接部９の厚み、すなわち巾木１１の厚みと同一寸法となる。
【００４２】
なお、巾木１１は、例えば接着剤の塗布によって階段室の側壁に固定すればよい。
【００４３】
以上説明したように、本実施形態に係る階段構造１によれば、ささら桁４の水平部５を第１の巾木隣接部７と該第１の巾木隣接部から段板２の厚み分だけ階段側に下がった位置に段状に形成された段板支承部８とで構成し、該段板支承部の上面に段板２を支承するようにするとともに、鉛直部６を第２の巾木隣接部９と該第２の巾木隣接部から蹴込み板３の厚み分だけ階段後方に段状に後退させた蹴込み板当接部１０とから構成したので、巾木は、従来のように段板や蹴込み板ではなく、第１の巾木隣接部７及び第２の巾木隣接部９に隣接して配置されることとなる。
【００４４】
そのため、従来のように段板２の段鼻２１に合わせて巾木１１を現場にて切り欠き加工する必要がなくなり、現場での作業効率を向上することが可能となる。
【００４５】
なお、段板２の上面とささら桁４の第１の巾木隣接部７の上面とは同一高さとなるとともに、蹴込み板３の正面とささら桁４の第２の巾木隣接部９の正面とが同一面となるように構成してあり、かかる第１の巾木隣接部７の上面及び第２の巾木隣接部９の正面に当接させた状態にて階段室の側壁に巾木１１を取り付けることにより、ささら桁４の露出を防止することができる。
【００４６】
また、従来は、ささら桁の上に段板を単に載せていたため、ささら桁及び段板を貫通するように釘やビスを斜め上方に打ち込むことは困難であり、そのため、段板の上面からささら桁に釘やビスを下方に打ち込むことで段板をささら桁に固定せざるを得ず、その結果、釘やビスの頭部を階段専用の厚みのある巾木で隠す必要があった。
【００４７】
それに対し、本実施形態では、ささら桁４の水平部５を段状に形成してあるので、釘やビスを段板２の上面から打ち込まずとも、段板２及び第１の巾木隣接部７を貫通するようにして段板２の下方から斜め上方に打ち込むことが可能となる。そのため、釘やビスの頭部を巾木１１で隠す必要がなくなり、階段専用の厚みのある巾木に代えて、居室や廊下等で用いる標準的な巾木を階段室の巾木１１としても用いることが可能となり、コストも削減できる。
【００４８】
本実施形態では、段板２をささら桁４に固定する際、段板２の下面から斜め上方に釘１２を打ち込むようにしたが、これに代えて、例えば、段板の下面に予めＬ型金具を取り付けておき、該Ｌ型金具を用いて段板２をささら桁４に固定するようにしてもかまわない。
【００４９】
また、本実施形態では、ささら桁４，４を階段室の両側壁にそれぞれ設けることを前提としたが、本発明はかかる内容に限定されるものではなく、例えば、ささら桁４を階段室の側壁に設けて段板２の一端を支承し、他端については別の手段で支承するようにしてもかまわない。
【００５０】
（第２実施形態）
【００５１】
次に、第２実施形態に係る階段構造について、添付図面を参照して説明する。なお、第１実施形態と実質的に同一の部品等については同一の符号を付してその説明を省略する。
【００５２】
図５は、本実施形態に係る階段構造を示した斜視図である。同図に示すように本実施形態に係る階段構造３１は、第１実施形態と同様、段板３２と、該段板の階段後方にて立設される蹴込み板３と、階段室の側壁に取り付けられる一対のささら桁３４，３４とからなり、該ささら桁は、図５(b)でよくわかるように、水平部５と鉛直部６とが階段昇降方向に沿って段状に連続形成されるように構成してある。
【００５３】
水平部５は、第１の巾木隣接部７と段板支承部８とから構成してあり、該段板支承部の上面に段板２を支承するようになっているとともに、鉛直部６は、第２の巾木隣接部９と蹴込み板当接部１０とから構成してあり、該蹴込み板当接部の正面に蹴込み板３を当接するようになっているが、水平部５及び鉛直部６の構成は、第１実施形態と同様であるので、ここではその詳細な説明を省略する。
【００５４】
図６は段板３２を示した図で、(a)は平面図、(b)は底面図、(c)は斜視図である。同図に示すように、段板３２は、第１実施形態と同様、段鼻２１の基端側下面に溝２２を形成して該溝に蹴込み板３の上縁を差し込むことができるように構成してあるが、上面にも階段後方側に溝３７を形成してあり、該溝に蹴込み板３の下縁を差し込むことができるように構成してある。
【００５５】
また、段板３２の上面には、階段後方隅部にそれぞれ切り欠き３３，３３を設けて嵌合凸部３８，３８を形成してある。
【００５６】
一方、ささら桁３４の蹴込み板当接部１０には図５(b)でよくわかるように、嵌合凹部３５を形成してあり、上述した嵌合凸部３８は、かかる嵌合凹部３５に嵌め込まれるようになっている。なお、嵌合凹部３５は、その奥行きＤを嵌合凸部３８の長さから蹴込み板３の厚みを差し引いた寸法に設定してある。
【００５７】
ささら桁３４の第１の巾木隣接部７の階段側側面には、断面形状が矩形状になるように形成した一方の係合部としての係合凸部３６を突設してあるとともに、段板３２の木口には、該段板の下面に凸部挿入開口４０が形成されてなる係合凹部としてのＬ字状の溝３９を形成してあり、上述したささら桁３４の係合凸部３６を凸部挿入開口４０からＬ字状の溝３９に挿入し、しかる後、挿入方向と直交する方向に段板３２を移動させることによって、該Ｌ字状の溝に係合凸部３６を係止することができるようになっている。
【００５８】
すなわち、Ｌ字状の溝３９及び係合凸部３６は、互いに係合可能な一対の係合部を構成する。
【００５９】
本実施形態に係る階段構造３１においては、階段を施工する際、まず、互いに対面する階段室の各側壁に一対のささら桁３４，３４をそれぞれ取り付ける。
【００６０】
次に、段板３２をその両側方縁部が各ささら桁３４の段板支承部８の上面にそれぞれ支承されるように配置するとともに、蹴込み板３をその両側方縁部が各ささら桁３４の蹴込み板当接部１０の正面にそれぞれ当接されるように取り付ける。
【００６１】
このとき、段板３２の上面とささら桁３４の第１の巾木隣接部７の上面とは同一高さとなるとともに、蹴込み板３の正面とささら桁３４の第２の巾木隣接部９の正面とが同一面となる。
【００６２】
段板３２をささら桁３４に配置するにあたっては、まず、図７(a)に示すように、ささら桁３４に形成された係合凸部３６が段板３２の下面に形成された凸部挿入開口４０からＬ字状の溝３９に挿入されるように段板３２をささら桁３４の段板支承部８に落とし込んでその下面を段板支承部８の上面に当接し、次いで、図７(b)に示すように、段板３２を階段後方に向けて摺動させる。このとき、蹴込み板３の上縁を段板３２の溝２２に予め嵌め込んでおくのがよい。
【００６３】
このようにすると、段板３２の嵌合凸部３８がささら桁３４の嵌合凹部３５に嵌め込まれるとともに、ささら桁３４の係合凸部３６が段板３２のＬ字状の溝３９に嵌め込まれ、該係合凸部は、Ｌ字状の溝３９に係止される。
【００６４】
かかる状態で、段板３２の下面からささら桁３４の第１の巾木隣接部７に向けて釘１２を斜めに打ち込んで固定する。このとき、上述したように段板３２が２箇所で上下方向に拘束されているため、段板３２がささら桁３４から浮き上がることはない。
【００６５】
次いで、図７(b)に示すように、段板３２の上面に形成された切り欠き３３に生じている蹴込み板３の厚みと同一寸法の隙間と溝３７に蹴込み板３の下縁を差し込み、上述したと同様の手順を繰り返して次の段の段板３２を設置する。
【００６６】
このように段板３２及び蹴込み板３の設置が終了したならば、次に、第１実施形態で示した図４(b)と同様、ささら桁３４の第１の巾木隣接部７の上面及び第２の巾木隣接部９の正面に沿って巾木１１を取り付ける。巾木１１を第２の巾木隣接部９の正面に沿って取り付ける際には、段板３２の側方縁部と階段室の側壁との間に生じている隙間ｄに差し込むようにして取り付ける。ちなみに、かかる隙間ｄは第２の巾木隣接部９の厚み、すなわち巾木１１の厚みと同一寸法となる。
【００６７】
以上説明したように、本実施形態に係る階段構造３１によれば、第１実施形態と同様、ささら桁３４の水平部５を第１の巾木隣接部７と該第１の巾木隣接部から段板３２の厚み分だけ階段側に下がった位置に段状に形成された段板支承部８とで構成し、該段板支承部の上面に段板３２を支承するようにするとともに、鉛直部６を第２の巾木隣接部９と該第２の巾木隣接部から蹴込み板３の厚み分だけ階段後方に段状に後退させた蹴込み板当接部１０とから構成したので、巾木は、従来のように段板や蹴込み板ではなく、第１の巾木隣接部７及び第２の巾木隣接部９に隣接して配置されることとなる。
【００６８】
そのため、従来のように段板３２の段鼻２１に合わせて巾木１１を現場にて切り欠き加工する必要がなくなり、現場での作業効率を向上することが可能となる。
【００６９】
また、本実施形態に係る階段構造３１によれば、第１実施形態と同様、ささら桁３４の水平部５を段状に形成してあるので、釘やビスを段板３２の上面から打ち込まずとも、段板３２及び第１の巾木隣接部７を貫通するようにして段板３２の下方から斜め上方に打ち込むことが可能となる。そのため、釘やビスの頭部を巾木１１で隠す必要がなくなり、階段専用の厚みのある巾木に代えて、居室や廊下等で用いる標準的な巾木を階段室の巾木１１としても用いることが可能となり、コストも削減できるという作用効果に加えて、段板３２に嵌合凸部３８とＬ字状の溝３９を形成するとともに、該嵌合凸部が嵌め込まれる嵌合凹部３５とＬ字状の溝３９に嵌め込まれて係止される係合凸部３６をささら桁３４に形成したので、段板３２は、２箇所で上下方向に拘束されることとなり、段板３２をささら桁３４に固定する際、段板３２の下面から斜め上方に向けて釘やビスを打ち込む場合でも、段板３２がささら桁３４から浮き上がることはないという作用効果を奏する。
【００７０】
したがって、従来のように、段板３２を上面から押さえる必要がなくなり、一人の作業員でも階段を施工することが可能となる。
【００７１】
本実施形態では、断面形状が矩形状となるように形成した係合凸部３６と断面形状がＬ字状となるように形成したＬ字状の溝３９とで本発明の係合部を構成したが、本発明に係る一対の係合部は、かかる構成に限定されるものではなく、互いに係合可能であるとともに、一方の係合部と他方の係合部とが互いに係止されるのであればどのように構成してもかまわない。
【００７２】
また、本実施形態では、互いに係合可能な係合凸部３６及びＬ字状の溝３９で一対の係合部を構成し、第１の巾木隣接部７に一方の係合部である係合凸部３６を設けるとともに、段板３２の木口に他方の係合部であるＬ字状の溝３９を設けるようにしたが、これに代えて図８に示すように、ささら桁４４の第１の巾木隣接部７に係合凹部としてのＬ字状の切り欠き４１を設けるとともに、段板４２の木口に他方の係合部としての係合凸部４３を設けるようにしてもかまわない。
【００７３】
Ｌ字状の切り欠き４１は、ささら桁４４の第１の巾木隣接部７の上面に凸部挿入開口４０が形成されるように切り欠いてある。
【００７４】
かかる場合においても、Ｌ字状の切り欠き４１と係合凸部４３は、互いに係合可能な一対の係合部として機能する。なお、ささら桁４４は、Ｌ字状の切り欠き４１を設けた点を除き、ささら桁３４と実質的に同一の構成であるので、ここではその詳細な説明を省略する。
【００７５】
かかる場合においては、段板４２をささら桁４４に取り付ける際、まず、段板４２に形成された係合凸部４３がささら桁４４の上面に形成された凸部挿入開口４０からＬ字状の切り欠き４１に挿入されるように段板４２をささら桁４４の段板支承部８に落とし込んでその下面を段板支承部８の上面に当接し、次いで、段板４２を階段後方に向けて摺動させる。
【００７６】
このようにすると、上述した実施形態と同様、段板４２の係合凸部４３とささら桁４４のＬ字状の切り欠き４１とが互いに係止されることとなる。なお、その他の作用効果については上述した実施形態と同様であるのでここではその説明を省略する。
【００７７】
また、本実施形態では、一対の係合部のうち、一方の係合部である係合凸部３６を第１の巾木隣接部７の階段側側面に設けるとともに、他方の係合部であるＬ字状の溝３９を段板３２の木口に設けるようにしたが、これに代えて、一方の係合部を段板支承部の階段側側面に設けるとともに、他方の係合部を段板の下面に設けるようにしてもかまわない。
【００７８】
図９は、かかる変形例を示したものであり、ささら桁５４の段板支承部８の階段側側面に係合突起５１を突設するとともに、段板５２の下面には該係合突起に係合する係合部材５３を取り付けてある。
【００７９】
係合部材５３は、階段後方に向けて突起挿入開口５５を有する切り欠き５６を形成したアングル状金物で構成してあり、該切り欠き内に係合突起５１が挿入係止されるようになっている。
【００８０】
かかる場合においても、係合突起５１と係合部材５３は、互いに係合可能な一対の係合部として機能する。なお、ささら桁５４は、段板支承部８に係合突起５１を設けた点を除き、ささら桁３４と実質的に同一の構成であるので、ここではその詳細な説明を省略する。
【００８１】
かかる場合においては、段板５２をささら桁５４に取り付ける際、まず、段板５２をささら桁５４の段板支承部８に落とし込んでその下面を段板支承部８の上面に当接する。
【００８２】
次いで、段板５２を階段後方に向けて摺動させ、ささら桁５４に突設された係合突起５１を突起挿入開口５５を介して係合部材５３の切り欠き５６に挿入する。
【００８３】
このようにすると、ささら桁５４の係合突起５１と段板５２の係合部材５３とが互いに係止されることとなる。なお、その他の作用効果については上述した実施形態と同様であるのでここではその説明を省略する。
【００８４】
【発明の効果】
以上述べたように、本発明に係る階段構造によれば、階段室の側壁に巾木を取り付ける際、従来のように段板や蹴込み板に当接させるのではなく、ささら桁のうち、階段昇降方向に沿って段状に連続形成された第１の巾木隣接部及び第２の巾木隣接部に当接させることとなるので、段板の段鼻に合わせて巾木を現場にて切り欠き加工する必要がなくなり、現場での作業効率を向上することが可能となる。
【００８５】
また、従来は、段板の上面からささら桁に釘やビスを打ち込むことで段板をささら桁に固定せざるを得ず、その結果、釘やビスの頭部を階段専用の厚みのある巾木で隠す必要があったが、本発明では、ささら桁の水平部を段状に形成してあるので、段板の下方からささら桁に向けて斜め上方に釘やビスを打ち込むことが可能となる。そのため、釘やビスの頭部を巾木で隠す必要がなくなり、階段専用の厚みのある巾木に代えて、居室や廊下等で用いる標準的な巾木を階段室の巾木としても用いることが可能となり、コストも削減できる。
【００８６】
【図面の簡単な説明】
【図１】第１実施形態に係る階段構造を示した図で、(a)は全体斜視図、(b)はささら桁の斜視図。
【図２】第１実施形態に係る階段構造のを示した図で、(a)は図１(a)のＡ−Ａ線に沿う断面図、(b)は図１(a)のＢ−Ｂ線に沿う断面図。
【図３】第１実施形態に係る階段構造の段板を示した斜視図。
【図４】第１実施形態に係る階段構造の作用を示した斜視図。
【図５】第２実施形態に係る階段構造を示した図で、(a)は全体斜視図、(b)はささら桁の斜視図。
【図６】第２実施形態に係る階段構造の段板を示した図で、(a)は平面図、(b)は底面図、(c)は斜視図。
【図７】第２実施形態に係る階段構造の作用を示した断面図。
【図８】第２実施形態の変形例に係る階段構造を示した斜視図。
【図９】第２実施形態の別の変形例に係る階段構造を示した斜視図。
【符号の説明】
１，３１                    階段構造
２，３２，４２，５２        段板
３                          蹴込み板
４，３４，４４，５４        ささら桁
５                          水平部
６                          鉛直部
７                          第１の巾木隣接部
８                          段板支承部
９                          第２の巾木隣接部
１０                        蹴込み板当接部
１１                        巾木
３３                        切り欠き
３５                        嵌合凹部
３６，４３                  係合凸部（係合部）
３８                        嵌合凸部
３９                        Ｌ字状の溝（係合部）
４１                        Ｌ字状の切り欠き（係合部）
５１                        係合突起（係合部）
５３                        係合部材（係合部）
【図１】
0003953876.tif 000002
【図２】
0003953876.tif 000003
【図３】
0003953876.tif 000004
【図４】
0003953876.tif 000005
【図５】
0003953876.tif 000006
【図６】
0003953876.tif 000007
【図７】
0003953876.tif 000008
【図８】
0003953876.tif 000009
【図９】
0003953876.tif 000010